(57)【要約】【課題】ロック時以外はロック体とロック用凹部との係止状態を確実に解除し、カード挿抜時の事故を防止したメモリカード用コネクタ装置を提供する。【解決手段】コネクタ本体３には、メモリカードＭＣの挿抜操作に伴ってメモリカードＭＣと共に前後方向に移動するスライダー５が納装され、スライダー５は前方に常時付勢されている。スライダー５の脚片５ｃにはハートカム溝部１５が形成され、ハートカム溝部１５には一方の軸部１６ａがコネクタ本体３に保持されたカムピン１６の他方の軸部１６ｂが係入される。カードロック時は軸部１６ｂがハートカム１５ａの凹部１５ｄに嵌り込み、軸部１６ｂによって凹部１５ｄ内に突出するロック体５０の突出片５０ｂが後方へ押圧されるので、この押圧力によってロック体５０のレバー片５０ａが弾性変形して、レバー片５０ａの先端に設けた係止片５０ｄがメモリカードＭＣのロック用凹部１０３に係入する。【選択図】　　　図１
2004119148.tif 000002
【特許請求の範囲】
【請求項１】
前部にメモリカード挿入口を有する箱状であって、メモリカード挿入口からメモリカードがスライドして挿抜されるコネクタ本体と、コネクタ本体の内部に配設されメモリカードの複数のＩ／Ｏ接触面にそれぞれ接触する複数のコンタクトと、コネクタ本体の内部に前後方向に移動自在に配置され、メモリカード挿入口からのメモリカードの挿抜操作に伴ってメモリカードとともに前後方向に移動するスライダーと、スライダーを前方方向へ常時付勢する付勢ばねと、スライダーの最後部位置への移動後のメモリカードの押し込み力の解除時にスライダーを所定位置でロックし、該ロック後にメモリカードへの押し込み力が加わってスライダーが後方移動するときにロックを解除するスライダーロック手段と、スライダーが上記所定位置でロックされるとメモリカードのロック用凹部に係入してメモリカードをロックするカードロック手段とを備え、
上記スライダーロック手段を、スライダーの表面に形成されたハートカム溝部と、一端がコネクタ本体に保持されるとともに他端がハートカム溝部内に係入され、スライダーが上記所定位置に移動するとハートカム溝部に設けた前側に開口する凹部に他端が嵌り込んでスライダーの前方方向への移動を規制するカムピンとで構成するとともに、上記カードロック手段を、一端側がスライダーに保持されるとともに他端側にメモリカードのロック用凹部に係入する係止部が設けられた弾性を有するロック体で構成して成り、該ロック体と一体にハートカム溝部の上記凹部内に少なくとも一部を突出させる突出部を設け、上記凹部内に移動したカムピンの他端で突出部が後方に押圧されるとロック体が弾性変形して係止部をロック用凹部内に進入させるとともに、カムピンの他端が上記凹部から移動して突出部を後方に押圧する力が無くなるとロック体の弾性復帰力で係止部をロック用凹部から退避させることを特徴とするメモリカード用コネクタ装置。
【発明の詳細な説明】
【０００１】
【発明の属する技術分野】
本発明は、ＳＤメモリカードやマルチメディアカード（ＭＭＣ）のようなメモリカードを挿抜自在に接続するためのメモリカード用コネクタ装置に関するものである。
【０００２】
【従来の技術】
従来より、前部にメモリカード挿入口を有する箱状であって、メモリカード挿入口からメモリカードがスライドして挿抜されるコネクタ本体と、コネクタ本体の内部に配設されメモリカードの複数のＩ／Ｏ接触面にそれぞれ接触する複数のコンタクトと、コネクタ本体の内部に前後方向に移動自在に配置され、メモリカード挿入口からのメモリカードの挿抜操作に伴ってメモリカードとともに前後方向に移動するスライダーと、このスライダーを前方方向へ常時付勢するコイルばねと、一端がスライダーに保持されるとともに他端がコネクタ本体に設けたハートカム溝部に係入されるカムピンと、一端がスライダーに固定されるとともに他端がメモリカードの装着時にメモリカードの側面に設けたロック用凹部に係入するロック体とを備えたメモリカード用コネクタ装置が提供されている（例えば特許文献１参照）。
【０００３】
このコネクタ装置では、ロック体の他端をガイドするテーパ状のガイド面をコネクタ本体に形成してあり、メモリカードの挿入に伴ってスライダーがコイルばねの弾発力に抗して後方へ移動すると、スライダーの移動に伴ってカムピンの他端がハートカム溝部の溝に沿って移動する。そして、メモリカードをロック位置まで挿入すると、ハートカム溝部に設けた前側に開放された凹部にカムピンの他端が嵌り込むことで、スライダーの前方方向への移動が規制されて、スライダーがロック位置で保持される。また、メモリカードの挿入に伴ってスライダーが後方へ移動すると、ロック体の他端が、コネクタ本体に設けたガイド面に沿って、ロック用凹部を設けたメモリカードの側面に徐々に近付いてゆき、メモリカードがロック位置付近まで挿入されるとロック体の他端がロック用凹部に係入して、メモリカードの脱落が防止されるようになっている。
【０００４】
【特許文献１】
特開２００１−３５７９３１号公報（第４頁−第５頁、及び、図４）
【０００５】
【発明が解決しようとする課題】
上記構成のメモリカード用コネクタ装置では、コネクタ本体に設けたテーパ面でロック体の他端をガイドしているので、スライダーがロック位置に移動する手前、或いは、スライダーがロック位置から前方に移動した後もロック体の他端がロック用凹部に係入している位置が存在し、その位置でメモリカードを無理に引き抜くと、比較的小さな力でもメモリカードのロック用凹部が変形したり、ロック体が変形してしまうという問題があった。
【０００６】
本発明は上記問題点に鑑みて為されたものであり、その目的とするところは、ロック時以外はロック体とロック用凹部との係止状態を確実に解除し、カード挿抜時の事故を防止したメモリカード用コネクタ装置を提供することにある。
【０００７】
【課題を解決するための手段】
上記目的を達成するために、請求項１の発明では、前部にメモリカード挿入口を有する箱状であって、メモリカード挿入口からメモリカードがスライドして挿抜されるコネクタ本体と、コネクタ本体の内部に配設されメモリカードの複数のＩ／Ｏ接触面にそれぞれ接触する複数のコンタクトと、コネクタ本体の内部に前後方向に移動自在に配置され、メモリカード挿入口からのメモリカードの挿抜操作に伴ってメモリカードとともに前後方向に移動するスライダーと、スライダーを前方方向へ常時付勢する付勢ばねと、スライダーの最後部位置への移動後のメモリカードの押し込み力の解除時にスライダーを所定位置でロックし、該ロック後にメモリカードへの押し込み力が加わってスライダーが後方移動するときにロックを解除するスライダーロック手段と、スライダーが上記所定位置でロックされるとメモリカードのロック用凹部に係入してメモリカードをロックするカードロック手段とを備え、上記スライダーロック手段を、スライダーの表面に形成されたハートカム溝部と、一端がコネクタ本体に保持されるとともに他端がハートカム溝部内に係入され、スライダーが上記所定位置に移動するとハートカム溝部に設けた前側に開口する凹部に他端が嵌り込んでスライダーの前方方向への移動を規制するカムピンとで構成するとともに、上記カードロック手段を、一端側がスライダーに保持されるとともに他端側にメモリカードのロック用凹部に係入する係止部が設けられた弾性を有するロック体で構成して成り、該ロック体と一体にハートカム溝部の上記凹部内に少なくとも一部を突出させる突出部を設け、上記凹部内に移動したカムピンの他端で突出部が後方に押圧されるとロック体が弾性変形して係止部をロック用凹部内に進入させるとともに、カムピンの他端が上記凹部から移動して突出部を後方に押圧する力が無くなるとロック体の弾性復帰力で係止部をロック用凹部から退避させることを特徴とする。
【０００８】
【発明の実施の形態】
以下、本発明を実施形態により詳細に説明する。
【０００９】
（実施形態１）
図１５及び図１６はＳＤメモリカードのようなメモリカードＭＣに対応した本実施形態の全体の分解斜視図及び全体斜視図を示しており、本実施形態のコネクタ装置は、図示するように厚さが極薄いステンレス金属板を打ち抜き且つ曲げ加工することにより形成されたベースシェル１と、このベースシェル１と同様に厚さが極薄いステンレス金属板を打ち抜き且つ曲げ加工することにより形成され、ベースシェル１上に被着することで前部にメモリカード挿入口４２が開口する扁平な箱状のコネクタ本体３をベースシェル１とで構成するカバーシェル２と、コネクタ本体３の後部内に装着されるコンタクトブロック４と、コンタクトブロック４の前方側のコネクタ本体３内に前後方向に移動自在に配置されるコ字型の樹脂成形品からなるスライダー５とを主要な構成要素としたものである。
【００１０】
ベースシェル１は図１７に示すように両側に上面（コネクタ本体３の内側に対応）側方向に折り曲げて形成した側片６ａ、６ｂを設けたもので、前後端が開放されている。そして後端にはコンタクトブロック４の樹脂製の基体７に上下方向に貫通させた圧入孔８（図１８参照）に下方から圧入してコンタクトブロック４を後部上面に固定するための突出片９を所定間隔で両側方向に４つ折り曲げ形成している。
【００１１】
また後端よりやや前方位置にはコンタクトブロック４に固持される後述の各コンタクト１０…及びスイッチ片３０ａ、３０ｂ、３１ａ、３１ｂを逃がすための孔１１…を形成してある。
【００１２】
また各側片６ａ、６ｂの後端には各側片６ａ、６ｂの内側面に並行するように設けられるばね座用突片１２、１２の後端が一体連設されている。これらのばね座用突片１２はスライダー５の付勢用コイルばね１３（付勢ばね）の座屈を防止するために、付勢用コイルばね１３の一端部内に挿入される。
【００１３】
ところで側片６ａの上記ばね座用突片１２の先端位置よりやや前方位置には内側方向に、上記スライダー５の前後方向の移動を規制するカムピン１６の一端を支持するＬ字状片１４を切り起こしにより形成してある。詳しくは、このＬ字状片１４はその立片１４ａに軸孔１４ｂを形成してあり、軸孔１４ｂにはカムピン１６の一端の軸部１６ａが挿入され、軸部１６ａを回動自在に軸支している。カムピン１６は立片１４ａに並行するスライダ−５の脚片５ｃの側面に形成した凹み部内に配置され、脚片５ｃの前側の外側面に形成したハートカム溝部１５に他端の軸部１６ｂを移動自在に係入させている。
【００１４】
更にベースシェル１の側片６ａの前部には上記カムピン１６の側面を側片６ａに並行するスライダー５の上記脚片５ｃ側に押圧する押圧ばね片１７を切り起こし形成してある。
【００１５】
またベースシェル１の前端（メモリカード挿入口４２側）には両側縁が前方に広がるように拡開形成した凹欠を形成し、この凹欠の傾斜辺となる両側縁に沿って上方に向けて逆入れ防止用の突片１８を切り起こしにより形成している。
【００１６】
この突片１８、１８間がメモリカードＭＣのメモリカード挿入口４２に対応し、各突片１８の上部内側縁部には段部１８ａを形成し、この両側の突片１８、１８の段部１８ａ、１８ａより上側の内側縁間の寸法をメモリカードＭＣの両側の最大幅の寸法よりやや大きく設定し、またベースシェル１の上面と段部１８ａの上向き面との間の寸法を、ベースシェル１の上面に裏面側を乗せた状態のメモリカードＭＣの裏面両側縁に前後方向の全長に亘って形成している下向き段部１０１の下向き面の高さ寸法よりやや小さい寸法に設定し、且つこの上向き段部１８ａより下側の内側縁間の寸法をメモリカードＭＣの下向き段部１０１より下方の両側幅の寸法よりやや大きく設定してある。
【００１７】
これによりメモリカードＭＣの裏面側をベースシェル１の上面側に載せる状態ではメモリカードＭＣの下向き段部１０１が突片１８の段部１８ａ上を通過することができて上記メモリカード挿入口４２からのメモリカードＭＣの挿入を可能とし、逆にメモリカードＭＣの表面をベースシェル１の上面側に向けた場合にはメモリカードＭＣのベースシェル１側となった両側部が両側の突片１８、１８の内側縁間を通過できず、メモリカードＭＣの表裏方向の間違いによる誤挿入を防止するようなっている。
【００１８】
また、コンタクトブロック４の右端のコンタクト１０に対応する右端の孔１１の前側（メモリカード挿入口４２側）の内側縁には切り起こしによってストッパ片２６を形成している。つまりメモリカードＭＣの前後方向が正規の方向でメモリカード挿入口４２に挿入される場合には、メモリカードＭＣの裏面に設けたＩ／Ｏ接触面（図示せず）へ誘い込む溝（図示せず）の開口を介してコンタクト１０…は接触位置へ移動することができるが、前後方向を逆にした非正規の方向でメモリカードＭＣが挿入されようとした場合には挿入方向の前面部にストッパ片２６が衝合してそれ以上の移動を規制し、コンタクトブロック４のコンタクト１０…の先部がメモリカードＭＣの挿入側の前面に当たって破損されるのを防ぐようになっている。
【００１９】
一方、カバーシェル２は図１９に示すように両側に折り曲げによって下向きの側片２０、２０を一体に設け、また後端には所定間隔で３つの下向きの突出片２１を折り曲げ形成している。これらの突出片２１はベースシェル１上にカバーシェル２を被着する際に、ベースシェル１の上面後端部に配置するコンタクトブロック４の基体７上面に開口するように貫通させている圧入孔２２に圧入してコンタクトブロック４を固定するためのものである。
【００２０】
またこのカバーシェル２の前部側にはコネクタ本体３内に挿入されるメモリカードＭＣの表面に印した［ＳＤ］マークが視認できる窓孔２３を打ち抜き形成するとともに、この窓孔２３の両側には並行するようにスリット２４を打ち抜き形成し、このスリット２４と窓孔２３の間の片２５の中央部をカバーシェル２の下面よりも下方へ突出させてその突出先端で上記コネクタ本体３内に挿入されるメモリカードＭＣの表面に弾性接触させてメモリカードＭＣを押さえる部位としている。
【００２１】
コンタクトブロック４は、図１８に示すようにメモリカードＭＣの後部裏面に複数（ＳＤメモリでは９つ）並行形成しているＩ／Ｏ接触面に夫々対応接触するコンタクト１０…と、メモリカードＭＣの位置検出用の一対のスイッチ片３０ａ、３０ｂと、メモリカードＭＣのライトプロテクトスイッチＳＷの位置検出用の一対のスイッチ片３１ａ、３１ｂとを樹脂製の基体７にインサート成形によって一体保持させており、基体７の前面（メモリカード挿入口４２）側にはコンタクト１０…及びスイッチ片３０ａ、３０ｂ、３１ａ、３１ｂの接触側を突出させ、後面側には回路基板等に夫々を半田付けするための半田付け端子部３２…を突出させている。そして基体７は前側上部に段部を設け、この段部に一端が開口するように上記圧入孔８…を上下方向に貫通させ、また基体７の後側上面に一端が開口するように圧入孔２２…を基体７の後部に上下方向に貫通させている。また基体７の両側面にはベースシェル１の後部両側に設けたばね座用突片１２、１２を挿入する付勢用コイルばね１３、１３の一端側部を嵌めてガイドする凹欠４７を設けてある。ここで一側面側の凹欠４７を基体７の下部側に、他側面側の凹欠４７は基体の上部側に夫々設けている。
【００２２】
スライダー５は、図１５に示すように合成樹脂成形品によりコ字型に形成されたものであって、中央片５ａの両端前部より前方へ脚片５ｂ、５ｃを一体突出されてコ字型に形成されものであり、中央片５ａの下面側には、スライダー５の後方移動時にスイッチ片３０ａ、３０ｂ、３１ａ、３１ｂやコンタクト１０…の先部を前方へ突出させるための凹溝３３…を対応形成してある。
【００２３】
両側脚片５ｂ、５ｃはメモリカードＭＣの左右側部のガイドとして機能するもので、夫々の前端内側面を脚片５ｂ、５ｃの内側面間の距離が外向けに拡開するように傾斜面３４としてある。
【００２４】
また一方の脚片５ｂには上部後端から中央方向に外側部と上部と後端部とが開口した断面略Ｕ型の細溝３５を形成してあり、この細溝３５には上述した付勢用コイルばね１３の他端部が収納されて、細溝３５の前端内面が付勢用コイルばね１３の弾発力を受ける面となっている。同様に他方の脚片５ｃにも別の付勢用コイルばね１３の他端部を収納する細溝（図示せず）が形成されており、細溝の前端内面で付勢用コイルばね１３の弾発力を受けるようになっている。ここで、両脚片５ｂ、５ｃが均等に付勢用コイルばね１３、１３の弾発力を前方方向に受けることで、スライダー５はコネクタ本体３内をスムーズに前後方向に摺動できることになる。
【００２５】
また両脚片５ｂ、５ａの内側面の下部には前端から後方に向けてメモリカードＭＣの両側の下向き段部１０１を載置摺動するための受けガイド１９ａ、１９ｂを一体に形成してある。
【００２６】
更に一方の脚片５ｃの前部側の外側面にはハートカム溝部１５を形成してある。このハートカム溝部１５は図１０（ａ）（ｂ）に示すようにハートカム１５ａとガイド溝１５ｂとから構成され、カムピン１６の軸部１６ｂをガイド溝１５ｂに係入し、スライダー５の前後移動に伴い、ガイド溝１５ｂとガイド溝１５ｂの底面に形成した凹凸面１５ｃとでカムピン１６の軸部１６ｂのガイド溝１５ｂ内の相対的な移動をガイドするようなっている。
【００２７】
また中央片５ａと脚片５ｃとで囲まれた入り隅にはメモリカードＭＣの挿入側の前部の一角に形成した傾斜カット部１０２が衝合する傾斜面５ｄを前面に形成した張出部５ｅを設けている。
【００２８】
ハートカム１５ａの前部には前側に開放された凹部１５ｄが形成されており、スライダー５の最後部位置への移動後のメモリカードＭＣの押し込み力の解除時にカムピン１６の軸部１６ｂが凹部１５ｄに嵌り込むことで、スライダー５の前方方向への移動を規制し、スライダー５を所定位置に保持している。そして、脚片５ｃには、スライダー５が所定位置に保持された状態でカムピン１６の軸部１６ｂが係入する凹部１５ｄに一端が開口する保持孔３６が左右方向に沿って貫設されており、この保持孔３６には後述するロック体５０の突出片５０ｂ及び弾接片５０ｃが圧入保持されている。
【００２９】
ロック体５０は、例えばステンレス鋼のような弾性を有する金属材料の薄板に打ち抜き加工且つ曲げ加工を施すことによって形成され、図１１（ａ）〜（ｃ）に示すように、細長い帯板状であって脚片５ｃの内側面と略並行に配設されるレバー片５０ａと、レバー片５０ａの前端部の下側縁からレバー片５０ａと略直交する方向に突出する突出片５０ｂと、突出片５０ｂの基部後縁から連続一体に延設され中間部が後方に突出するように湾曲した弾接片５０ｃと、レバー片５０ａの後端縁から側片５ｃと反対側に突出するく字状の係止片５０ｄとで構成される。
【００３０】
そしてロック体５０は、前端側に設けた突出片５０ｂ及び弾接片５０ｃを脚片５ｃの保持孔３６内に圧入することで脚片５ｃに保持され、突出片５０ｂの前端部が凹部１５ｄに突出している。また、脚片５ｃには上面側及び内面側に開放された凹欠部３９が形成されており、この凹欠部３９の内部にロック体５０のレバー片５０ａが配置される。
【００３１】
保持孔３６の内部は内面側（メモリカードＭＣ側）の開口端に比べて前後方向の幅寸法が幅広に形成されているので、突出片５０ｂ及び弾接片５０ｃを保持孔３６内に挿入すると、弾接片５０ｃが保持孔３６の開口縁と係止することでロック体５０が保持孔３６から外れないようになっており、また突出片５０ｂ及び弾接片５０ｃが保持孔３６内で自由に移動できるようになっている。ここで、突出片５０ｂの前端部は保持孔３６から凹部１５ｄ内に突出しており、メモリカードＭＣのロック時にカムピン１６の軸部１６ｂが凹部１５ｄに嵌り込むと、付勢用コイルばね１３がスライダー５を前方方向に付勢する力で、軸部１６ｂによって突出片５０ｂの前端部が後方に押圧される。この押圧力によってレバー片５０ａの後端部がメモリカードＭＣに近付く向きに撓むように弾性変形し、係止片５０ｄが凹欠部３９を出てメモリカードＭＣのロック用凹部１０３に係入するので、メモリカードＭＣの抜けが防止されるのである。一方、メモリカードＭＣのロック時以外ではカムピン１６の軸部１６ｂが凹部１５ｄから外に出るため、ロック体５０の突出片５０ｂを後方に押す力が無くなり、レバー片５０ａの弾性復帰力で係止片５０ｄがロック用凹部１０３から凹欠部３９内に退避し、係止片５０ｄとロック用凹部１０３との係止状態が解除される。
【００３２】
次に、本実施形態のコネクタ装置の組立手順について簡単に説明する。コネクタ装置を組み立てるに当たっては、ベースシェル１の両側片６ａ、６ｂの後端より側片６ａ、６ｂに夫々内側で並行するように折り曲げ形成したばね座用突片１２、１２を付勢用コイルばね１３、１３の一端部内に挿入させることで、付勢用コイルばね１３、１３をベースシェル１の後部両側内に配する。
【００３３】
次いでベースシェル１の上面後部にコンタクトブロック４を載置する。このときベースシェル１の後端に突出させている突出片９…をコンタクトブロック４の圧入孔８…に下方から圧入してコンタクトブロック４をベースシェル１上に固定する。またこの際基体７の両側面に形成した凹欠４７、４７内に付勢用コイルばね１３、１３の後端側部を夫々収納する。次にこのように配置されたコンタクトブロック４の前方側のベースシェル１上にスライダー５を載置する。この際付勢用コイルばね１３、１３の前部をスライダー５の両脚片５ｂ、５ｃの後部側面に形成している細溝３５に嵌める。そしてカムピン１６の一端の軸部１６ａをベースシェル１の側片６ａから切り起こしているＬ字状片１４の立片１４ａの軸孔１４ｂに挿入して軸支させるとともに、カムピン１６をスライダー５の脚片５ｃと、ベースシェル１の側片６ａの内側との間に配置し、更にカムピン１６の他端の軸部１６ｂを脚片５ｃの前部外側面に形成しているハートカム溝部１５に係入する。カムピン１６はこのときベースシェル１の側片６ａに設けている押圧ばね片１７により脚片５ｃ方向に付勢される。
【００３４】
ここでスライダー５は付勢用コイルばね１３、１３により付勢されて前方（メモリカード挿入口４２側）へ押し動かされて両脚片５ｂ、５ｃの前端部に形成した傾斜面３４、３４がベースシェル１の前端に設けた突片１８、１８の裏面の傾斜面部に衝合してスライダー５のそれ以上の前方への移動が規制される。この状態ではカムピン１６の一端がガイド溝１５ｂの後端の位置ａへ移動している（図８及び図１０参照）。尚、スライダー５には上述のようにしてロック体５０を取り付けてある。
【００３５】
このようにしてベースシェル１上にコンタクトブロック４、スライダー５を配置するとともに、付勢用コイルばね１３、１３、カムピン１６、ロック体５０を装着した後、カバーシェル２を上方からベースシェル１に被せる。この際カバーシェル２の後端に形成した突出片２１…をコンタクトブロック４の基体７の圧入孔２２に上方から圧入するとともに、両側片２０、２０をベースシェル１の両側片６ａ、６ｂの外側面に沿うように垂下させる。このときカバーシェル２の両側片２０、２０に切り起こしによって形成された弾性係止片４０…の上向き先部が、ベースシェル１の両側片６ａ、６ｂに対応するように設けた係止孔４１…に係止されることになる。これにより両シェル１、２が互いに結合されて扁平で前部にメモリカードＭＣの挿入口４２を開口した箱状のコネクタ本体３が形成されるとともに同時にコネクタ装置が完成することになる。
【００３６】
ここで本実施形態のコネクタ装置は、各コンタクト１０…及びスイッチ片３０ａ、３０ｂ、３１ａ、３１ｂの半田付け端子部３２…の下面と、ベースシェル１の下面の４隅に突出させた載置用突部４３…の下面と、脚片５ｂの前端と突片１８との間の前縁及び脚片５ｃの前端と突片１８との間の前縁より前方に突出させた半田付け片４４、４４の下面とを低くしたＳＭＤ型のコネクタ装置を構成している。また、金属製のコネクタ本体３をアースすることで静電気や外部ノイズに強いものとなる。
【００３７】
図７〜図９はメモリカードＭＣを挿着していない状態のコネクタ装置を示しており、この状態では、付勢用コイルばね１３、１３の弾発力を受けてスライダー５が前方方向（メモリカード挿入口４２側）に移動した状態にある。この状態では、カムピン１６の軸部１６ｂがガイド溝１５ｂの後端部に位置し、ロック位置（凹部１５ｄ）から外れているので、ロック体５０の突出片５０ｂを後方へ押圧する力がなく、レバー片５０ａの弾性復帰力で係止片５０ｄが凹欠部３９内に退避し、脚片５ｃの内側面よりも内部へ突出しないようになっている。
【００３８】
次にメモリカードＭＣを本実施形態のコネクタ装置へ挿着する場合の各部の動作について説明する。
【００３９】
まずメモリカードＭＣを前後方向及び表裏方向を正規な方向に向けてコネクタ本体３のメモリカード挿入口４２から挿入すると、メモリカードＭＣの下面両側部の下向き段部１０１、１０１がベースシェル１の前端に形成している突片１８の段部１８ａ上を通過してメモリカードＭＣの先部がコネクタ本体３内のスライダー５の両脚片５ｂ、５ｃ間に挿入され、受けガイド１９ａ、１９ｂ上に下向き段部１０１、１０１が乗ることになる。更にメモリカードＭＣをコネクタ本体３内に挿入すると、やがてメモリカードＭＣの先部の片側に形成した傾斜カット部１０２がスライダー５の張出部５ｅの傾斜面５ｄに衝合してスライダー５を後方へ押すことになる。また更にスライダー５に加わる付勢用コイルばね１３、１３の弾発力に抗して更にメモリカードＭＣを押し入れると、メモリカードＭＣの移動に共動してスライダー５が後退することになる。このスライダー５の後退によりカムピン１６の軸部１６ｂはハートカム溝部１５のガイド溝１５ｂの底部の凹凸面１５ｃによってガイドされながらハートカム１５ａの下側のガイド溝１５ｂの位置ｂへ移動することになる（図１０参照）。そしてメモリカードＭＣをスライダー５の中央片５ａの後面がコンタクトブロック４の基体７の前面に当たる位置に近い位置まで押し込むと、カムピン１６の軸部１６ｂがガイド溝１５ｂの前端部に当たる位置ｃに至ることになり（図１０参照）、それ以上の押し込みができなくなる。この位置でメモリカードＭＣに加えていた押し込み力を解除すると、付勢用コイルばね１３の弾発力によりスライダー５がメモリカードＭＣと共に前方へ戻りかけるが、カムピン１６の軸部１６ｂがガイド溝１５ｂに案内されながらハートカム１５ａの凹部１５ｄに嵌り込む位置ｄまで移動することになる。従ってカムピン１６の軸部１６ｂがハートカム１５ａの凹部１５ｄに当接することで、これ以上のスライダー５の前方移動が規制され、メモリカードＭＣはその位置でコネクタ本体３内に留まることになる。
【００４０】
さて上記メモリカードＭＣは押し込みによってその先部が所定位置へ移動すると、スライダー５の中央片５ａの下面の凹溝３３…より前方へ突出せる各コンタクト１０…の先部がメモリカードＭＣの裏面に形成した対応するＩ／Ｏ接触面に順次接触することになる。またスライダー５の中央片５ａの凹溝３３を介して前方へ突出せるスイッチ片３０ａの先部がメモリカードＭＣの傾斜カット部１０２によって押されて他方のスイッチ片３０ｂに接触するとスイッチオンとなる。このスイッチ信号を利用して外部の検出回路（図示せず）によりメモリカードＭＣが正規位置に挿着されたことを検出することができる。
【００４１】
またスイッチ片３１ａ、３１ｂ側に対応するメモリカードＭＣの一側面にはライトプロテクトのスイッチＳＷの摘み１０４が露出する凹部１０５を設けており、スイッチＳＷの摘み１０４の凹部１０５内の移動位置により、スイッチ片３１ｂの先部が摘み１０４に乗り上げるか凹部１０５内に落ち込むことで下方に位置するスイッチ片３１ａの先部から離れるか接触することになり、このスイッチ信号でメモリカードＭＣがライトプロテクト状態にあるか否かを検出できるようになっている。
【００４２】
メモリカードＭＣを装着した状態で、スライダー５の後方への移動はハートカム１５ａの凹部１５ｄにカムピン１６の軸部１６ｂが嵌り込むことで規制されるが、メモリカードＭＣはそのままではコネクタ本体３内より脱落する恐れがある。そこで本実施形態では、スライダー５が所定位置へ移動して、カムピン１６の軸部１６ｂがハートカム１５ａのロック位置（凹部１５ｄ）に留まると、保持孔３６から凹部１５ｄ内に突出するロック体５０の突出片５０ｂがカムピン１６の軸部１６ｂによって後方へ押圧され、この押圧力によってレバー片５０ａの後端部がメモリカードＭＣに近付く向きに撓むように弾性変形し、レバー片５０ａの後端部に設けた係止片５０ｄが凹欠部３９を出て、脚片５ｃの内側面よりも内側へ突出するようになっており、係止片５０ｄがメモリカードＭＣのロック用凹部１０３に係入することで、メモリカードＭＣをロックするようになっている。この状態が図１〜図３に示す状態である。
【００４３】
以上のように挿着されたメモリカードＭＣをコネクタ装置より取り出すときには、まずコネクタ本体３のメモリカード挿入口４２より露出するメモリカードＭＣの後部を挿入方向に押してスライダー５とともにメモリカードＭＣを挿入方向へ移動させる。この移動によってカムピン１６の軸部１６ｂがハートカム１５ａの凹部１５ｄから離脱するとともにガイド溝１５ｂにガイドされて凹部１５ｄより上側のガイド溝１５ｂ内の位置ｅへ移動する（図１０参照）。この時、カムピン１６の軸部１６ｂが凹部１５ｄから離脱することで、付勢用コイルばね１３がスライダー５を前方に付勢する力によって、軸部１６ｂがロック体５０の突出片５０ｂを後方へ押圧する力が無くなるから、突出片５０ｂの前端部が保持孔３６から凹部１５ｄ内に突出するとともに、レバー片５０ａの弾性復帰力によって係止片５０ｄが凹欠部３９内に退避して、係止片５０ｄとメモリカードＭＣのロック用凹部１０３との係止状態が解除される（図４参照）。このようにロック体５０の係止片５０ｄは、カムピン１６の軸部１６ｂがロック位置（凹部１５ｄ）にある場合のみロック用凹部１０３に係入しており、軸部１６ｂがロック位置から外れると、係止片５０ｄとロック用凹部１０３との係止状態が確実に解除される。而して、メモリカードＭＣを引き抜く際にメモリカードＭＣに無理な力が加えられたとしても、係止片５０ｄがロック用凹部１０３に係入されていないので、係止片５０ｄ（ロック体５０）やロック用凹部１０３が変形するといった事故を確実に防止できる。
【００４４】
その後、メモリカードＭＣの押し込み力を解除すると、スライダー５は付勢用コイルばね１３、１３の弾発力により前方へ移動することなる。スライダー５が前方へ移動すると、スライダー５の移動に伴ってカムピン１６の軸部１６ｂはガイド溝１５ｂにガイドされながらハートカム１５ａの上側のガイド溝１５ｂ内の位置ｆ（図５、図６及び図１０参照）を介して移動する。スライダー５は、付勢用コイルばね１３、１３の弾発力によりメモリカード挿入口４２側へ移動して図７〜図９に示す状態に復帰することになり、カムピン１６の軸部１６ｂはガイド溝１５ｂの後端部の位置ａに移動する。この時、メモリカードＭＣの後部はコネクタ本体３のメモリカード挿入口４２から外部へ大きく露出し、メモリカードＭＣをコネクタ本体３から取り出すことができることになる。
【００４５】
なお、本実施形態ではＳＭＤ構造のコネクタ装置を例に説明を行ったが、図１７に示すようにベースシェル１に切り起こしによるＤＩＰやスタンドオフ用脚片４５…を下方向に突出させるとともに、半田付け片４４…を断面Ｌ形に形成してＤＩＰ型に対応させたり、或いは先端の半田付け部位までの足片を長くしｙｒスタンドオフ型に対応させても良く、従ってこの半田付け片部位の打ち抜き、折り曲げの金型を変更するだけでＳＭＤ、ＤＩＰ、スタンドオフの夫々に対応するベースシェル１が製作できる。
【００４６】
ところでコネクタ装置を基板等に実装する場合に基板の回路パターンに対して絶縁を必要とする場合や、他の部品との絶縁を必要とする場合には、絶縁テープ４６を必要とするコネクタ本体３の面に貼着すると良い（図１５参照）。
【００４７】
（実施形態２）
本発明の実施形態２を図２０〜図２４を参照して説明する。尚、コネクタ装置の基本的な構造は実施形態１と同様であるので、同一の構成要素には同一の符号を付して説明を省略し、本実施形態の特徴である部分のみを説明する。
【００４８】
実施形態１では、ロック体５０の前端側に設けた突出片５０ｂ及び弾接片５０ｃをスライダー５の脚片５ｃに貫設した保持孔３６内に挿入し、弾接片５０ｃを保持孔３６の開口縁に係止させることで、ロック体５０の抜けを防止して、ロック体５０をスライダー５に保持させているが、本実施形態ではロック体５０’の前端側をスライダー５の脚片５ｃに圧入固定している。
【００４９】
ロック体５０’は、例えばステンレス鋼のような弾性を有する金属材料の薄板に打ち抜き加工且つ曲げ加工を施すことによって形成され、図２２（ａ）〜（ｃ）に示すように、細長い帯板状であって脚片５ｃの内側面と略並行に配設されるレバー片５０ａと、レバー片５０ａの前端部の下側縁からレバー片５０ａと略直交する方向に突出する突出片５０ｂと、レバー片５０ａの後端縁から側片５ｃと反対側に突出するく字状の係止片５０ｄと、レバー片５０ａの前端縁から前方に突出するＬ字状の圧入片５０ｅとで構成される。
【００５０】
一方、スライダー５の脚片５ｃには、図２０に示すように、メモリカードＭＣのロック状態でカムピン１６の軸部１６ｂが係入する凹部１５ｄに一端が開口する保持孔３６が左右方向に沿って貫設されており、また脚片５ｃの前端部の上面には上端側及び後端側が開口する圧入溝３７が形成されている。
【００５１】
而して、ロック体５０’をスライダー５に取り付ける際には、レバー片５０ａの後端側を内側に撓ませた状態で圧入片５０ｅを上側から圧入溝３７内に圧入し、その後レバー片５０ａの後端側を脚片５ｃに近付く向きに戻して、レバー片５０ａの前端側に突設された突出片５０ｂを脚片５ｃの保持孔３６内に挿入することで、ロック体５０’の取り付けが完了する。尚、ロック体５０’の取り付けが容易に行えるよう、保持孔３６の開口縁を広げたり、突出片５０ｂの幅を狭くしても良い。
【００５２】
ここで、ロック体５０’をスライダー５に取り付けた状態では突出片５０ｂの前端部が保持孔３６からハートカム溝部１５の凹部１５ｄ内に突出する。
【００５３】
而して、実施形態１で説明したようにメモリカードＭＣを装着した状態では、スライダー５が所定位置へ移動して、カムピン１６の軸部１６ｂがハートカム１５ａのロック位置（凹部１５ｄ）に嵌り込むため、保持孔３６から凹部１５ｄ内に突出するロック体５０’の突出片５０ｂがカムピン１６の軸部１６ｂによって後方へ押圧され、この押圧力によってレバー片５０ａが弾性変形し、レバー片５０ａが圧入片５０ｅとの連結部位を支点としてメモリカードＭＣ側に撓められるので、レバー片５０ａの後端部に設けた係止片５０ｄが凹欠部３９を出て、メモリカードＭＣのロック用凹部１０３に係入することで、メモリカードＭＣがロックされる。
【００５４】
一方、メモリカードＭＣを引き抜く際に、コネクタ本体３のメモリカード挿入口４２より露出するメモリカードＭＣの後部を挿入方向に押してスライダー５とともにメモリカードＭＣを挿入方向へ移動させると、この移動によってカムピン１６の軸部１６ｂがハートカム１５ａの凹部１５ｄから離脱するとともにガイド溝１５ｂにガイドされて凹部１５ｄより上側のガイド溝１５ｂ内の位置ｅへ移動する。その後、メモリカードＭＣの押し込み力を解除すると、スライダー５は付勢用コイルばね１３、１３の弾発力により前方へ移動することなり、スライダー５の移動に伴ってカムピン１６の軸部１６ｂはガイド溝１５ｂの後端部の位置ａまで移動する。この時、メモリカードＭＣの後部はコネクタ本体３のメモリカード挿入口４２から外部へ大きく露出し、メモリカードＭＣをコネクタ本体３から取り出すことができることになる。
【００５５】
ここで、カムピン１６の軸部１６ｂが凹部１５ｄから離脱すると、付勢用コイルばね１３がスライダー５を前方に付勢する力によって、軸部１６ｂがロック体５０’の突出片５０ｂを後方へ押圧する力が無くなり、突出片５０ｂの前端部が保持孔３６から凹部１５ｄ内に突出するとともに、レバー片５０ａの弾性復帰力によってレバー片５０ａの先端側がメモリカードＭＣから遠ざかる向きに移動する。この時、レバー片５０ａの先端に設けた係止片５０ｄが凹欠部３９内に退避して、係止片５０ｄとメモリカードＭＣのロック用凹部１０３との係止状態が解除される。
【００５６】
上述のようにロック体５０’の係止片５０ｄは、カムピン１６の軸部１６ｂがロック位置（凹部１５ｄ）にある場合のみロック用凹部１０３に係入しており、軸部１６ｂがロック位置から外れると、係止片５０ｄとロック用凹部１０３との係止状態が確実に解除される。したがって、メモリカードＭＣを引き抜く際にメモリカードＭＣに無理な力が加えられたとしても、係止片５０ｄがロック用凹部１０３に係入されていないので、係止片５０ｄ（ロック体５０）やロック用凹部１０３が変形するなどの不具合を防止できる。
【００５７】
なお、上述の各実施形態はＳＤメモリのようなロック用凹部１０３を備えたメモリカードＭＣ以外に、凹部１０３を備えていない他は外形状が同じマルチメモリカード（ＭＭＣ）にも対応しており、このマルチメモリカードからなるメモリカードが挿着される場合には、ロック体５０の係止片５０ｄがメモリカードの側面で押されることでロック体５０の先端側がメモリカードと反対側に撓められるようになっている。
【００５８】
【発明の効果】
上述のように、請求項１の発明は、前部にメモリカード挿入口を有する箱状であって、メモリカード挿入口からメモリカードがスライドして挿抜されるコネクタ本体と、コネクタ本体の内部に配設されメモリカードの複数のＩ／Ｏ接触面にそれぞれ接触する複数のコンタクトと、コネクタ本体の内部に前後方向に移動自在に配置され、メモリカード挿入口からのメモリカードの挿抜操作に伴ってメモリカードとともに前後方向に移動するスライダーと、スライダーを前方方向へ常時付勢する付勢ばねと、スライダーの最後部位置への移動後のメモリカードの押し込み力の解除時にスライダーを所定位置でロックし、該ロック後にメモリカードへの押し込み力が加わってスライダーが後方移動するときにロックを解除するスライダーロック手段と、スライダーが上記所定位置でロックされるとメモリカードのロック用凹部に係入してメモリカードをロックするカードロック手段とを備え、上記スライダーロック手段を、スライダーの表面に形成されたハートカム溝部と、一端がコネクタ本体に保持されるとともに他端がハートカム溝部内に係入され、スライダーが上記所定位置に移動するとハートカム溝部に設けた前側に開口する凹部に他端が嵌り込んでスライダーの前方方向への移動を規制するカムピンとで構成するとともに、上記カードロック手段を、一端側がスライダーに保持されるとともに他端側にメモリカードのロック用凹部に係入する係止部が設けられた弾性を有するロック体で構成して成り、該ロック体と一体にハートカム溝部の上記凹部内に少なくとも一部を突出させる突出部を設け、上記凹部内に移動したカムピンの他端で突出部が後方に押圧されるとロック体が弾性変形して係止部をロック用凹部内に進入させるとともに、カムピンの他端が上記凹部から移動して突出部を後方に押圧する力が無くなるとロック体の弾性復帰力で係止部をロック用凹部から退避させることを特徴とする。このような構成を採用したことにより、メモリカードのロック時にはスライダーが所定位置に移動し、スライダーの移動に伴ってカムピンの他端がハートカム溝部の凹部内に嵌り込むので、付勢ばねがスライダーを前方へ付勢する力によって、カムピンの他端が凹部内に突出するロック体の突出部を後方へ押圧することになり、この押圧力でロック体を弾性変形させて係止部をロック用凹部内に進入させることで、メモリカードをロックすることができ、一方メモリカードのロック時以外ではスライダーの移動に伴って、カムピンの他端が上記凹部から出てハートカム溝部内を移動するので、ロック体の突出部を後方へ押圧する力が無くなり、ロック体の弾性復帰力で係止部がロック用凹部から退避するから、係止部とロック用凹部との係止状態を確実に解除できる。したがって、メモリカードのロック時以外では係止部がロック用凹部に係入する位置が存在せず、メモリカードを引き抜く途中でメモリカードを無理に引っ張ったとしても、係止部がロック用凹部に係入していないので、係止部やロック用凹部が変形することはなく、メモリカードを引き抜く際の事故を防止できるという効果がある。
【図面の簡単な説明】
【図１】実施形態１のコネクタ装置がメモリカードをロックしている状態を示し、（ａ）は要部の上面図、（ｂ）は右側から見た要部の側面図、（ｃ）は要部の正面図である。
【図２】同上がメモリカードをロックしている状態を示し、（ａ）はカバーシェルを外した状態の要部の上面図、（ｂ）は右側から見た断面図である。
【図３】同上がメモリカードをロックしている状態の説明図である。
【図４】同上にメモリカードを最奥部まで挿入した状態を示し、（ａ）はカバーシェルを外した状態の要部の上面図、（ｂ）は右側から見た断面図である。
【図５】同上からメモリカードが押し出される途中の状態を示し、（ａ）はカバーシェルを外した状態の要部の上面図、（ｂ）は右側から見た断面図である。
【図６】同上からメモリカードが押し出される途中の状態の説明図である。
【図７】同上にメモリカードが挿入される前の状態を示し、（ａ）は要部の上面図、（ｂ）は右側から見た要部の側面図である。
【図８】同上にメモリカードが挿入される前の状態を示し、（ａ）はカバーシェルを外した状態の要部の上面図、（ｂ）は右側から見た断面図である。
【図９】同上にメモリカードが挿入される前の状態の説明図である。
【図１０】同上のスライダーを示し、（ａ）は要部の上面図、（ｂ）は要部の側面図である。
【図１１】同上のスライダーを示し、（ａ）は図１０（ａ）のＸ−Ｘ断面図、（ｂ）は図１０（ａ）のＹ−Ｙ断面図である。
【図１２】同上のロック体を示し、（ａ）は上面図、（ｂ）は右側から見た側面図、（ｃ）は正面図である。
【図１３】同上のスライダーにロック体を組み込んだ状態を示し、（ａ）は要部の上面図、（ｂ）は要部の側面図である。
【図１４】同上のスライダーにロック体を組み込んだ状態を示し、図１３（ａ）のＹ−Ｙ断面図である。
【図１５】同上の分解斜視図である。
【図１６】同上の斜視図である。
【図１７】同上のベースシェルを示し、（ａ）は背面図、（ｂ）は上面図、（ｃ）は正面図、（ｄ）は右側から見た側面図である。
【図１８】同上のコンタクトブロックを示し、（ａ）は背面図、（ｂ）は上面図、（ｃ）は正面図である。
【図１９】同上のカバーシェルを示し、（ａ）は背面図、（ｂ）は上面図、（ｃ）は正面図、（ｄ）は右側から見た側面図である。
【図２０】実施形態２のコネクタ装置のスライダーを示し、（ａ）は要部の上面図、（ｂ）は要部の側面図である。
【図２１】同上のスライダーを示し、図２０（ａ）のＹ−Ｙ断面図である。
【図２２】同上のロック体を示し、（ａ）は上面図、（ｂ）は右側から見た側面図、（ｃ）は正面図である。
【図２３】同上のスライダーにロック体を組み込んだ状態を示し、（ａ）は要部の上面図、（ｂ）は要部の側面図である。
【図２４】同上のスライダーにロック体を組み込んだ状態を示し、図２３（ａ）のＹ−Ｙ断面図である。
【符号の説明】
３　　　コネクタ本体
５　　　スライダー
５ｃ　　脚片
１５　　ハートカム溝部
１５ａ　ハートカム
１５ｄ　凹部
１６　　カムピン
１６ａ，１６ｂ　軸部
５０　　ロック体
５０ａ　レバー片
５０ｂ　突出片
５０ｄ　係止片
１０３　ロック用凹部
ＭＣ　　　メモリカード
【図１】
2004119148.tif 000003
【図２】
2004119148.tif 000004
【図３】
2004119148.tif 000005
【図４】
2004119148.tif 000006
【図５】
2004119148.tif 000007
【図６】
2004119148.tif 000008
【図７】
2004119148.tif 000009
【図８】
2004119148.tif 000010
【図９】
2004119148.tif 000011
【図１０】
2004119148.tif 000012
【図１１】
2004119148.tif 000013
【図１２】
2004119148.tif 000014
【図１３】
2004119148.tif 000015
【図１４】
2004119148.tif 000016
【図１５】
2004119148.tif 000017
【図１６】
2004119148.tif 000018
【図１７】
2004119148.tif 000019
【図１８】
2004119148.tif 000020
【図１９】
2004119148.tif 000021
【図２０】
2004119148.tif 000022
【図２１】
2004119148.tif 000023
【図２２】
2004119148.tif 000024
【図２３】
2004119148.tif 000025
【図２４】
2004119148.tif 000026